(57)【要約】【課題】  標本に円周方向の色々な角度から照明光を照射設定できる斜光照明絞りを有するコンデンサレンズとこれを搭載する顕微鏡を提供すること。【解決手段】  光学部材を保持する複数の保持部２１、２２、２３、２４を光軸位置に切替え可能な切替機構６を有するコンデンサレンズ５であって、斜光照明絞り３１を保持する回転可能な前記保持部２１と、前記保持部２１を回転させる回転操作部２３と、前記回転操作部２３の回転を前記保持部２１に伝達する回転伝達手段４５を有し、前記斜光照明絞り３１の前記開口３５を前記光軸Ｏに対して回転可能であることを特徴とするコンデンサレンズ５を有する顕微鏡。【選択図】  図２
2006018092.tif 000002
【特許請求の範囲】
【請求項１】
開口位置が異なる複数の開口を有する開口絞りと、
前記複数の開口から任意の少なくとも１つの開口を選択する少なくとも１つの開口部を有する遮光部材とからなることを特徴とする斜光照明絞り。
【請求項２】
前記開口絞りの複数の開口は、前記開口絞りの中心を軸に周方向の異なる半径の位置に配置され、
前記開口絞りと前記遮光部材は、前記開口絞りと前記遮光部材の略中心位置で回転可能に支持され、
前記開口絞りと前記遮光部材との少なくとも一方を回転することにより前記開口部が前記複数の開口の少なくとも１つを選択することを特徴とする請求項１に記載の斜光照明絞り。
【請求項３】
前記開口絞りの複数の並設された開口はそれぞれ円弧状の開口から形成され、
前記遮光部材の開口部は、前記遮光部材に円弧状に形成され、
前記開口絞りと前記遮光部材との少なくとも一方を前記開口絞りの開口の並び方向に沿って移動することにより前記開口部が前記複数の開口の少なくとも１つを選択することを特徴とする請求項１に記載の斜光照明絞り。
【請求項４】
光学部材を保持する複数の保持部を有し、前記光学部材の１つの光軸位置への配置が切替え可能な切替機構を有し、
前記保持部は、斜光照明絞りを保持して回転可能であり、
前記保持部を回転させる回転操作部を有し、
前記回転操作部の回転を前記保持部に伝達する回転伝達手段を有し、
前記斜光照明絞りの前記開口を前記光軸位置を中心として回転可能であることを特徴とするコンデンサレンズ。
【請求項５】
前記複数の保持部に、さらに微分干渉用光学部材と位相差用光学部材とがそれぞれ配置され、前記光軸位置に切替え可能であることを特徴とする請求項４に記載のコンデンサレンズ。
【請求項６】
請求項４又は５に記載のコンデンサレンズを有することを特徴とする顕微鏡。
【発明の詳細な説明】
【技術分野】
【０００１】
本発明は、顕微鏡に関し、特に斜光照明絞りを有するコンデンサレンズとこれを搭載する顕微鏡に関する。
【背景技術】
【０００２】
従来、透明な標本に照明光を角度を持たせて入射し、標本像に影を作ってコントラストを高める斜光照明を用いた観察方法がある。例えば、コンデンサレンズの絞り位置に寸法が固定された１つの扇形の開口を持つ開口部材とこの開口部材に対して移動可能に配置された遮光部材から構成された斜光照明絞りを配置し、遮光部材を照明光学系の光軸に対して垂直な方向にスライドさせることによって斜光照明絞りの径方向の開口幅を変化させ、標本像の立体感（コントラスト）と明るさを変化させることが提案されている（例えば、特許文献１参照。）。
【特許文献１】特開２００２−３１７５８号公報
【発明の開示】
【発明が解決しようとする課題】
【０００３】
しかしながら、特許文献１の開示例では、寸法が固定された１つの開口に対して遮光部材を照明光学系の光軸に対して垂直な方向にスライドすることで斜光照明絞りの径方向の開口幅を変化するため斜光照明絞りの円周方向における開口位置が固定され、標本に対して照明光の入射方向を変えて最適な標本像のコントラスト位置に設定できないという問題がある。
【０００４】
本発明は、上記問題に鑑みてなされたものであり、標本に円周方向の色々な角度から照明光を照射できる斜光照明絞りを有するコンデンサレンズとこれを搭載する顕微鏡を提供することを目的としている。
【課題を解決するための手段】
【０００５】
上記問題を解決するために、本発明は、開口位置が異なる複数の開口を有する開口絞りと、前記複数の開口から任意の少なくとも１つの開口を選択する少なくとも１つの開口部を有する遮光部材とからなることを特徴とする斜光照明絞りを提供する。
【０００６】
また、本発明にかかる斜光照明絞りでは、前記開口絞りの複数の開口は、前記開口絞りの中心を軸に周方向の異なる半径の位置に配置され、前記開口絞りと前記遮光部材は、前記開口絞りと前記遮光部材の略中心位置で回転可能に支持され、前記開口絞りと前記遮光部材との少なくとも一方を回転することにより前記開口部が前記複数の開口の少なくとも１つを選択することが好ましい。
【０００７】
また、本発明にかかる斜光照明絞りは、前記開口絞りの複数の並設された開口はそれぞれ円弧状の開口から形成され、前記遮光部材の開口部は、前記遮光部材に円弧状に形成され、前記開口絞りと前記遮光部材との少なくとも一方を前記開口絞りの開口の並び方向に沿って移動することにより前記開口部が前記複数の開口の少なくとも１つを選択することが好ましい。
【０００８】
また、本発明は、光学部材を保持する複数の保持部を有し、前記光学部材の１つの光軸位置への配置が切替え可能な切替機構を有し、前記保持部は、斜光照明絞りを保持して回転可能であり、前記保持部を回転させる回転操作部を有し、前記回転操作部の回転を前記保持部に伝達する回転伝達手段を有し、前記斜光照明絞りの前記開口を前記光軸位置を中心として回転可能であることを特徴とするコンデンサレンズを提供する。
【０００９】
また、本発明にかかるコンデンサレンズは、前記複数の保持部に、さらに微分干渉用光学部材と位相差用光学部材とがそれぞれ配置され、前記光軸位置に切替え可能であることが好ましい。
【００１０】
また、本発明は、前記コンデンサレンズを有することを特徴とする顕微鏡を提供する。
【発明の効果】
【００１１】
本発明によれば、標本に円周方向の色々な角度から照明光を照射できる斜光照明絞りを有するコンデンサレンズとこれを搭載する顕微鏡を提供することが出来る。
【発明を実施するための最良の形態】
【００１２】
以下、本発明の一実施の形態に関し図面を参照しつつ説明する。
【００１３】
図１は、本発明の実施の形態にかかるコンデンサレンズを搭載した顕微鏡の側面視外観図である。図２は、本発明の実施の形態にかかるコンデンサレンズに配置されているターレットを上方から見た外観図である。図３は、図２のＸ−Ｘ線に沿ったコンデンサレンズを含む断面図である。図４は、斜光照明絞りの概略構成図であり、（ａ）は斜光照明のＮＡの異なる複数の開口を有する開口絞り、（ｂ）は複数の開口から１つの開口を選択する開口部を有する遮光部材、（ｃ）は（ａ）と（ｂ）とを重ねて配置しＮＡ＝０．８の開口を選択した場合を、（ｄ）は別の開口ＮＡ＝０．７５を選択した例をそれぞれ示している。図５は、斜光照明絞りの別の一例を示す図である。
【００１４】
図１から図３において、光源ランプ１からの照明光は顕微鏡本体３中の不図示の照明光学系を通過しフィールドレンズ４で絞り位置８に一度結像した後、コンデンサレンズ５によって平行光束となって標本７を照明する。コンデンサレンズ５は、複数の光学部材を光軸位置に設置するように切替え可能なターレット６を有している。標本７からの光は対物レンズ９で集光され、顕微鏡本体３の観察光学系を通過し、接眼レンズ１１で肉眼により観察されると共に観察鏡筒１３に配置された不図示の撮像装置等で撮像され不図示のモニタによって画像が観察及び画像処理手段によって信号が検出される。対物レンズ９の焦点調節は顕微鏡本体３に設けられた焦準ハンドル１０により対物レンズ９を上下動することによって行われる。標本７はテーブル１５に固定されたステージ１７に載置され、標本７の観察位置は、顕微鏡本体３が載置されたＸＹステージ１９を移動することによって位置決めされる。
【００１５】
ターレット６は、４箇所の光学部材を保持する保持部２１、２２、２３、２４を有している。回転可能な保持部２１は、後述する斜光照明絞り３１が配置され、斜光照明絞り３１は突起部３３で保持部２１に支持されている。保持部２２は、例えば微分干渉観察時に用いられる微分干渉光学部材５１が配置され、保持部２４には、例えば位相差観察時に用いられる位相差光学部材６１が配置されている。また斜光照明絞り３１が配置された保持部２１のターレット６の中心軸に対して対向する位置の回転可能な保持部２３には、その他の光学部材（例えば、ＮＤフィルタ７１など）が配置されている。この結果、ターレット６を回転することによって、保持部２１から２４に配置されたそれぞれの光学部材３１、５１、６１、７１を、顕微鏡３の光軸Ｏに配置することが可能となる。
【００１６】
回転可能な保持部２１と回転可能な保持部２３の外周部にはそれぞれギア４１、４３が形成され、ターレット６の中心部に配置されたギア４５を介して保持部２３のギア４３に与えられた回転がギア４１に伝達され、保持部２１を光軸Ｏを回転軸として回転する構成となっている。この結果、斜光照明絞り３１の開口３５を光軸Ｏを中心軸として回転させることができる。保持部材２３位置のターレット６には、保持部材２３に指で回転が与えやすいように切り欠き６ａが設けられている。なお、保持部２３から保持部２１への回転伝達手段は、ギアに限られずベルト等であっても良い。
【００１７】
このように、本実施の形態では、斜光照明絞り３１の開口３５を、顕微鏡の光軸Ｏを中心として回転可能に構成しているため、標本７に対して光軸Ｏを中心として一周に亘る色々な方向から斜光照明が出来るため、標本像の最適なコントラストを得ることが出来る斜光照明を行うことが可能となる。また、複数の光学部材を光軸Ｏに切替えて配置することが出来るターレット６に微分干渉用光学部材５１、位相差用光学部材６１、及び斜光照明絞り３１が配置され、適宜切替えが出来るように構成すれば、標本７の観察法に応じて必要な光学部材を選択し切替えることが可能となる。このため従来のような専用の顕微鏡に標本を乗せ返るなどの面倒な作業が不要となる。
【００１８】
次に、本発明の実施の形態にかかる斜光照明絞りに関し説明する。
【００１９】
図４（ａ）から（ｄ）において、略円板状の斜光照明絞り３１（図４（ｃ）または（ｄ））は、斜光照明のＮＡの異なる複数の円弧状の開口３５を有する略円板状部材からなる開口絞り３６（図４（ａ））と、これら複数の開口３５から所定の開口を選択する開口部３７を有する略円板状部材からなる遮光部材３８（図４（ｂ））とからなり、開口絞り３６と遮光部材３８とが回転可能に略中心部でねじ３９等により支持されている。開口絞り３６は、遮光部材３８を回転する際に開口絞り３６を支持すると共に、ターレット６の保持部２１に設置した際の支持部となる突起部３３を周辺部に有している。なお、開口絞りの開口は、円弧状に限られるものでなく、例えば矩形でも良い。
【００２０】
開口絞り３６の複数の開口から所定の開口を選択する遮光部材３８の開口部３７は、遮光部材３８の略中心付近から扇形に円弧状の開口３５を１個含む大きさに形成されている。なお、斜光部材の開口の形状は、扇状の円弧状が最も好ましいが、例えば矩形の開口でも良い。
【００２１】
開口絞り３６に形成されている斜光照明のＮＡの異なる複数の円弧状の開口３５は、開口絞り３６の中心軸を中心として略１周に亘り異なる半径の位置（例えば、螺旋状）に配置されている。なお、開口絞り３６上に配置される円弧状の開口３５の個数は、円弧状の開口の開き角度によって決定され、設計によって適宜選択される。
【００２２】
斜光照明のＮＡと開口３５の径方向の位置ｒとの関係は、コンデンサレンズ５の焦点距離をｆとすると、ｒ＝ｆ×（ＮＡ）、で決定される。このようにして決められたＮＡの開口３５が開口絞り３６の所定の径位置ｒにそれぞれ形成され、それぞれの開口の近傍にＮＡの値を記した識別銘板３２が設けられ識別できるようになっている。図４（ａ）では、ＮＡ＝０．８からＮＡ＝０．４５まで０．０５間隔で８種類の開口３５が形成されている。図４（ｃ）は、ＮＡ＝０．８の斜光照明の開口３５を選択した状態を示し、（ｄ）はＮ＝０．７５の開口３５を選択した状態をそれぞれ示している。
【００２３】
このように、本実施の形態にかかる斜光照明絞り３１は、開口絞り３６と遮光部材３８の少なくとも一方を回転させて所望の斜光照明のＮＡを選択することが出来る。
【００２４】
このよう形成された斜光照明絞り３１を図２に示すようにターレット６の回転可能な保持部２１に保持し、顕微鏡３の光軸Ｏ中に挿入することで、標本７に対して所定の斜光照明のＮＡで照明することが可能になる。また、ターレット６に設けられた回転機構４１、４３、４５によって斜光照明絞り３１の開口３５を光軸Ｏを中心として回転させることが出来る。この結果、標本７に対して３６０度に亘る任意の方向から所定の斜光照明のＮＡによる照明を行うことが出来る。このように本発明の実施の形態にかかるコンデンサレンズ５では、最適な標本像の得られる斜光照明のＮＡと斜光照明の方向を得ることが可能となる。
【００２５】
図５は、本発明の実施の形態にかかる斜光照明絞りの別の一例を示している。図５において、開口絞り１３６は、略円板状部材からなり中心から扇形状に斜光照明のＮＡが異なる複数の開口１３５が形成されている。なお、開口１３５は扇形状以外にも短冊形状に形成することも可能である。開口１３５の径方向の位置ｒとＮＡとの関係は上述と同様であり説明を省略する。
【００２６】
遮光部材１３８は、略長方形の板状部材からなり、１個の開口１３５を選択する円弧状の開口部１３７が形成されている。所望の開口１３５の選択は、遮光部材１３８を図中水平方向（矢印）（各開口の並び方向）に移動させることによって行う。
【００２７】
このよう形成された斜光照明絞り１３１を図２に示すターレット６の回転可能な保持部２１に保持し、顕微鏡３の光軸Ｏ中に挿入することで、標本７に対して所定の斜光照明のＮＡで照明することが可能になる。また、ターレット６に設けられた回転機構４１、４３、４５によって斜光照明絞り１３１の開口１３５を光軸Ｏを中心として回転させることが出来る。この結果、標本７に対して３６０度に亘る任意の方向から所定の斜光照明のＮＡによる照明を行うことが出来る。
【００２８】
なお、本実施の形態では。遮光部材の開口は１つであったが、複数で有っても良い。また、遮光部材としては本実施の形態のような板状部材ではなく液晶表示部材を用い光の透過部と非透過部の切換により遮光を行っても良い。
【００２９】
なお、上述の実施の形態は例に過ぎず、上述の構成や形状に限定されるものではなく、本発明の範囲内において適宜修正、変更が可能である。
【図面の簡単な説明】
【００３０】
【図１】本発明の実施の形態にかかるコンデンサレンズを搭載した顕微鏡の側面視外観図である。
【図２】本発明の実施の形態にかかるコンデンサレンズに配置されているターレットの上部外観図である。
【図３】図２のＸ−Ｘ線に沿ったコンデンサレンズを含む断面図である。
【図４】斜光照明絞りの概略構成図であり、（ａ）は斜光照明のＮＡの異なる複数の開口を有する開口絞り、（ｂ）は複数の開口から１つの開口を選択する開口部を有する遮光部材、（ｃ）は（ａ）と（ｂ）とを重ねて配置しＮＡ＝０．８の開口を選択した場合を、（ｄ）は別の開口ＮＡ＝０．７５を選択した例をそれぞれ示している。
【図５】斜光照明絞りの別の一例を示す図である。
【符号の説明】
【００３１】
１      光源ランプ
３      顕微鏡本体
４      フィールドレンズ
５      コンデンサレンズ
６      ターレット
７      標本
８      絞り位置
９      対物レンズ
１０    焦準ハンドル
１１    接眼レンズ
１３    観察鏡筒
１５    テーブル
１７    ステージ
１９    ＸＹステージ
２１、２２、２３、２４    保持部
３１    斜光照明絞り
３２    識別銘板
３３    突起部
３５    開口
３６    開口絞り
３７    開口部
３８    遮光部材
３９    ねじ
４１、４３、４５    ギア（回転機構）
５１    部分干渉用光学部材
６１    位相差用光学部材
７１    ＮＤフィルタ
１３１  斜光照明絞り
１３５  開口
１３６  開口絞り
１３７  開口部
１３８  遮光部材
Ｏ      光軸
【図１】
2006018092.tif 000003
【図２】
2006018092.tif 000004
【図３】
2006018092.tif 000005
【図４】
2006018092.tif 000006
【図５】
2006018092.tif 000007